(57)【要約】【課題】梱包部材の印字作業時や被梱包体への組付け時における負荷集中部への落下、衝撃、摩擦などの外部ストレスを分散吸収させることにより、破損、つぶれ等による変形を抑制し、美観を損ねることのない梱包部材を提供すること。【解決手段】鉛直方向が長辺側となる直方体状の被梱包体の側面を覆うように構成された中空角柱状の梱包体であって、梱包状態で下側となる中空角柱状の梱包体の下側開口端と、下側開口端と中空角柱状の梱包体の稜線との交点となる角部と、角部を支点として床面に梱包体を立てたときの角部に、床面と２箇所以上で接触、または線接触するように形成した崩れ防止部と、を備えた。【選択図】  図３
2016137906.tif 000002
【特許請求の範囲】
【請求項１】
鉛直方向が長辺側となる直方体状の被梱包体の側面を覆うように構成された中空角柱状の梱包体であって、
梱包状態で下側となる前記中空角柱状の梱包体の下側開口端と、
前記下側開口端と前記中空角柱状の梱包体の稜線との交点となる角部と、
前記角部を支点として床面に前記梱包体を立てたときの該角部に、前記床面と２箇所以上で接触、または線接触するように形成した崩れ防止部と、
を備えたことを特徴とする貯湯式給湯機の梱包体。
【請求項２】
前記崩れ防止部を、
前記角部を切欠いて構成した、または前記角部を前記被梱包体側へ折り込んで構成したことを特徴とする、請求項１に記載の貯湯式給湯機の梱包体。
【請求項３】
前記崩れ防止部を、
梱包状態で上側となる前記中空角柱状の梱包体の上側開口端側の前記角部に相当する位置に設けることを特徴とする、請求項１または２のいずれか１つに記載の貯湯式給湯機の梱包体。
【請求項４】
前記崩れ防止部は、前記下側開口端の４か所の前記角部のうち、いずれか１か所にのみ設けることを特徴とする、請求項１から３のいずれか１つに記載の貯湯式給湯機の梱包体。
【発明の詳細な説明】
【技術分野】
【０００１】
本発明は、貯湯式給湯機の梱包体などの梱包部材に関するものである。
【背景技術】
【０００２】
特許文献１は、被包装体の胴部を覆う外装用スリーブ状段ボールに、圧縮荷重による美観を損ねる大きな変形を抑制するための、変形を促す座屈誘導部を形成したものが示されている。
【先行技術文献】
【特許文献】
【０００３】
【特許文献１】特開２０１３−１５９３４１号公報
【発明の概要】
【発明が解決しようとする課題】
【０００４】
貯湯式給湯機は、略直方体の形状を成しているため、その梱包形態は、被梱包体の前後左右側面を中空の角柱形状の段ボールで覆っている。そして、特に貯湯式給湯機のタンク容量が大きい機種などは、幅奥行き寸法に加え、製品高さも高くなるため、梱包材料である段ボールの使用量も多くなり、その梱包材質量も比例して大きくなる。従って、製品梱包ラインにおいては、高架台の上から、下の生産ライン上を流れてくる製品に向かって中空の角柱形状の段ボールを被せながら落とす要領で作業を行っている。しかし、その梱包作業において、段ボールが組み付け面に達した際の落下による衝撃により、特に角柱形状下部の４つの角部に著しいつぶれや擦れ、破れ等が発生しやすい状況にある。また、その中空角柱形状の段ボールは、輸送、保管上の観点から納入形態は畳まれて納品されるため、被梱包体に被せる寸前に梱包作業者が畳まれた梱包材を開いて被せている。その梱包材を開く際に、梱包材が重いために持ち上げて開くことが困難なため、角柱形状の下部４角の角部のうち１点を支点として床面に突き当てて開く必要が生じ、その際に支点とした角部の箇所に破損やつぶれ等の傷みが生じ易くなってしまう。
【０００５】
また、貯湯式給湯機の梱包部材には、製品の形名を表示しているが、同じ外形寸法に対し、多数の製品形名が存在するため、形名表示部は段ボール印刷専用の大型プリンターを使用して印字している。その印字作業において、プリンターに梱包部材をセットする際、畳んだ状態で上下を反転させてプリンターにセットするが、その際も上下夫々の４つの角部における、ぶつかり、擦れ等による破損やつぶれ等の変形が懸念される。これらの点が、梱包状態における美観を損ねる要因となっている。
【０００６】
本発明は、上記のような課題を解決するためになされたもので、梱包部材の印字作業時や被梱包体への組付け時における負荷集中部への落下、衝撃、摩擦などの外部ストレスを分散吸収させることにより、破損、つぶれ等による変形を抑制し、美観を損ねることのない梱包部材を提供することを目的とする。
【課題を解決するための手段】
【０００７】
鉛直方向が長辺側となる直方体状の被梱包体の側面を覆うように構成された中空角柱状の梱包体であって、梱包状態で下側となる中空角柱状の梱包体の下側開口端と、下側開口端と中空角柱状の梱包体の稜線との交点となる角部と、角部を支点として床面に梱包体を立てたときの角部に、床面と２箇所以上で接触、または線接触するように形成した崩れ防止部と、を備える。
【発明の効果】
【０００８】
本発明によれば、梱包部材の印字作業時や被梱包体への組付け時における負荷集中部への落下、衝撃、摩擦などの外部ストレスを分散吸収させることにより、破損、つぶれ等による変形を抑制し、美観を損ねることのない梱包部材を提供することができる。
【図面の簡単な説明】
【０００９】
【図１】本発明の実施の形態１を示す梱包部材を取り付けた状態の外観図である。
【図２】図１に示す梱包部材の部品構成を表した分解図である。
【図３】図２に示す梱包部材の構成部品である胴部梱包部材である。
【図４】本発明の実施の形態２を示す梱包部材の詳細図（Ａ）（Ｂ）である。
【図５】本発明の実施の形態３を示す梱包部材の詳細図（Ａ）（Ｂ）である。
【図６】本発明の実施の形態４を示す梱包部材の詳細図（Ａ）（Ｂ）である。
【図７】本発明の実施の形態１から４で示す梱包部材の説明図（Ａ）（Ｂ）である。
【図８】本発明の実施の形態１から４で示す梱包部材の説明図である。
【発明を実施するための形態】
【００１０】
以下、本発明の実施の形態について図面とともに説明するが、各図において同一部分または相当部分は同一符号を付し、重複する説明を省略する。
【００１１】
実施の形態１．
以下、本発明の実施の形態１を図１〜図３に基づいて説明する。図１は、本発明の実施の形態１に係る貯湯式給湯機（梱包状態）１００で、貯湯式給湯機１０に梱包部材を組み付けた状態の斜視図であり、前面および右側面側を示している。また、図２は本発明の実施の形態１に係る各梱包部材の貯湯式給湯機１０に対しての部品構成位置を展開状態で示した分解図である。
【００１２】
梱包部材は下部木枠２０、段ボール製の下部クッション３０、段ボール製の胴部梱包部材（イ）４０（本発明の梱包体に相当、以下の実施の形態において本構成に相当するものも同様）、発泡スチロール製の上部クッション８０、段ボール製の上部カバー９０の部品で構成されており、貯湯式給湯機１０は下部木枠２０にボルトとナットで係止されている。本発明の実施の形態１は、図２に示される胴部梱包部材（イ）４０に係るものである。
【００１３】
図３は、図２に示す梱包部材の構成部品である胴部梱包部材（イ）４０の詳細図である。胴部梱包部材（イ）４０は完成形を中空の角柱形状とし、その材質は段ボールであり、略コの字型で同形状の２枚の段ボールを対角の位置でステープル止めする事により形成している。そのフルート方向については梱包材の材料寸法や生産性等の理由から、垂直方向および水平方向双方の場合が考慮される。図３では胴部梱包部材（イ）４０の組み付け状態である開いた状態を示しているが、運搬および保管の際は、前述の対角の位置でステープル止めされた同形状の２枚の段ボールの内側面が合致する状態で畳まれており、この状態から梱包時に作業者が胴部梱包部材（イ）４０を開いて図３の状態にし、貯湯式給湯機１０に被せている。その際、胴部梱包部材（イ）４０が重いため持ち上げて開くことが困難であり、下部の角の内１点を支点として床面に突き当てて開く必要が生じる。
【００１４】
また、胴部梱包部材（イ）４０は、貯湯式給湯機１０の大きさに依存し、その種類によっては高さ寸法が２メートルを超える場合もあるため、貯湯式給湯機１０の梱包を行う製品梱包ラインにおいては、高架台の上から、下の生産ライン上を流れてくる貯湯式給湯機１０に向かって被せながら落とす要領で梱包作業を行っている。その際に、組み付け面である下部木枠２０に胴部梱包部材（イ）４０が達した際の落下による衝撃により、特に角柱形状下部の４つの角部に著しいつぶれや擦れ、破れ等が発生しやすい状況にあったが、図３に示すように下部の４角部に稜部をまたいで面取りカットする事により下部切欠き部４０ａ（本発明の崩れ防止部に相当、以下の実施の形態において本構成に相当するものも同様）を設け、これまで集中的に荷重を受けていた頂点をなくし、面取りの面で荷重を受けることにより負荷が分散され、つぶれによる外観の悪化を防止することができる。
【００１５】
また従来は、胴部梱包部材（イ）４０のフルート方向が、荷重が加わる方向と同じ垂直方向であった場合は下部のつぶれに対して強度的に有利であり、そのフルート方向が、荷重が加わる方向に対し水平方向であった場合は下部のつぶれに対し弱い傾向にあるという問題があったが、図３に示す下部切欠き部４０ａは、垂直もしくは水平のどちらのフルート方向に対しても斜めに面取りによりカットされるため、どちらのフルート方向を指定しても、つぶれに対しては、ほぼ同等の強度となり、ほぼ同様の効果が得られるという利点もある。
【００１６】
また、胴部梱包部材（イ）４０における下部切欠き部４０ａは、４ヵ所全てに設けなくても、例えば運搬および保管の際に外側となる側の対角位置の角部のみに設けるとか、床面に突き当てて開くときの支点となる部分にだけ設けるなど、任意箇所のみに設けても良い。
【００１７】
また、図３に示すように胴部梱包部材（イ）４０には上部開口部側の４つの角部にも下部開口部同様に面取りによるカット部の上部切欠き部４０ｂ（本発明の崩れ防止部に相当、以下の実施の形態において本構成に相当するものも同様）を設けている。これは、通常の梱包作業時において、胴部梱包部材（イ）４０の上部には荷重は加わらないが、該梱包部材へ施す製品形名印字作業において、大型プリンターにセットする際に畳んだ状態で上下を反転させてプリンターにセットするため、上部の４角部においても、ぶつかり、擦れ等による破損やつぶれ等の変形が懸念されるためである。
【００１８】
また、胴部梱包部材（イ）４０における、上部切欠き部４０ｂは４ヵ所全てに設けなくても、例えば運搬および保管の際に外側となる側の対角位置の角部のみに設けるなど、任意箇所のみに設けても良い。
【００１９】
実施の形態２．
次に本発明の他の実施の形態について説明する。本実施の形態２では、実施の形態１での胴部梱包部材（イ）４０に相当する別の形態としての胴部梱包部材（ロ）５０について説明する。そのため、実施の形態２に係る貯湯式給湯機１０に梱包部材を組み付けた状態の斜視図は図１に、各梱包部材の貯湯式給湯機１０に対しての部品構成位置を示した分解図は図２に代替えされるものとして、説明を省略する。
【００２０】
図４（Ａ）は、実施の形態１での下部切欠き部４０ａに相当する別の形態として、胴部梱包部材（ロ）５０の下部の４角部に設ける下部切欠き部５０ａを示している。下部切欠き部５０ａは、下部の４角部の稜部をまたいで半円形状にカットする事により、これまで集中的に荷重を受けていた頂点の代わりにＲ状の部分の両端で床面に接することになり、Ｒ状の部分で荷重を受けることにより負荷が分散され、つぶれによる外観の悪化を防止することができる。カット部の形状をＲ状にすることにより、後述の方形状と比較して、カットした箇所に応力集中が生じにくいので、その部分から胴部梱包部材（ロ）５０が破れにくいという利点がある。
【００２１】
また、図４（Ｂ）は、実施の形態１での上部切欠き部４０ｂに相当する別の形態として、胴部梱包部材（ロ）５０の上部開口部側の４角部に設ける上部切欠き部５０ｂを示している。付設の理由は、実施の形態１と同様である。胴部梱包部材（ロ）５０における、下部切欠き部５０ａおよび上部切欠き部５０ｂは４ヵ所全てに設けなくても、実施の形態１で述べた内容と同様、任意箇所のみに設けても良い。
【００２２】
実施の形態３．
次に本発明の他の実施の形態について説明する。本実施の形態３では、実施の形態１での胴部梱包部材（イ）４０に相当する別の形態として胴部梱包部材（ハ）６０について説明する。そのため、実施の形態３に係る貯湯式給湯機１０に梱包部材を組み付けた状態の斜視図は図１に、各梱包部材の貯湯式給湯機１０に対しての部品構成位置を示した分解図は図２に代替えされるものとして、説明を省略する。
【００２３】
図５（Ａ）は、実施の形態１での下部切欠き部４０ａに相当する別の形態として、胴部梱包部材（ハ）６０の下部の４角部に設ける下部切欠き部６０ａを示している。下部切欠き部６０ａは、下部の４角部の稜部をまたいで方形状にカットする事により、これまで集中的に荷重を受けていた頂点の代わりに方形の部分の両端で床面に接することになり、荷重が分散されるのでつぶれの発生が少なくなり、つぶれによる外観の悪化を目立たなくさせる効果が得られる。
【００２４】
また、図５（Ｂ）は、実施の形態１での上部切欠き部４０ｂに相当する別の形態として、胴部梱包部材（ハ）６０の上部開口部側の４角部に設ける上部切欠き部６０ｂを示している。付設の理由は、実施の形態１と同様である。胴部梱包部材（ハ）６０における、下部切欠き部６０ａおよび上部切欠き部６０ｂは４ヵ所全てに設けなくても、実施の形態１で述べた内容と同様、任意箇所のみに設けても良い。
【００２５】
実施の形態４．
次に本発明の他の実施の形態について説明する。本実施の形態４では、実施の形態１での胴部梱包部材（イ）４０に相当する別の形態として胴部梱包部材（ニ）７０について説明する。そのため、実施の形態４に係る貯湯式給湯機１０に梱包部材を組み付けた状態の斜視図は図１に、各梱包部材の貯湯式給湯機１０に対しての部品構成位置を示した分解図は図２に代替えされるものとして、説明を省略する。
【００２６】
図６（Ａ）は、実施の形態１での下部切欠き部４０ａに相当する別の形態として、胴部梱包部材（ニ）７０の下部の４角部に設ける下部折り込み部７０ａを示している。下部折り込み部７０ａは、下部の４角部の稜部をまたいで角度を付けた折り込み線を設け、開口部先端稜部の折り込み方向が梱包状態での貯湯式給湯機１０側になる向きに押し出して折り込み部を形成している。本構成によれば、材料をカットするのではなく内側に折り込むので、材料をカットする場合に比べて荷重に対する強度や、擦れ、破れに対して強くなるという利点が得られる。
【００２７】
また、図６（Ｂ）は、実施の形態１での上部切欠き部４０ｂに相当する別の形態として、胴部梱包部材（ニ）７０の上部開口部側の４角部に設ける上部折り込み部７０ｂを示している。付設の理由は、実施の形態１と同様である。胴部梱包部材（ニ）７０における、下部折り込み部７０ａおよび上部折り込み部７０ｂは４ヵ所全てに設けなくても、実施の形態１で述べた内容と同様、任意箇所のみに設けても良い。
【００２８】
なお、前述の実施の形態１から４において各胴部梱包部材に設けたカット部および折り込み部（本発明の崩れ防止部）は、複数種類を混合して付設させることも可能である。
【００２９】
以上説明した実施の形態１から４に示される各胴部梱包材において、折りたたんだ状態から展開する際の動作を含めて効果を説明する。例えば実施の形態１での場合で説明すると図７（Ａ）に示すように、胴部梱包部材（イ）４０を折りたたんだ状態から、Ａ部支点を床面に突き当てて図中の矢印のように展開する場合、図７（Ｂ）で示すように、胴部梱包部材４０（イ）の下部切欠き部４０ａが、床面と線接触するように形成されているので、荷重による床面との接触部分に生じる負荷が分散されつぶれによる外観の悪化を防止することができる。また、落下、衝撃、摩擦などの外部ストレスにおいても同様に、下部切欠き部４０ａや上部切欠き部４０ｂにより負荷を分散する事で、破損、つぶれ等による変形を抑制し、美観を損ねることのない梱包部材を提供することができる。この効果は実施の形態２から４について適用した場合も同様である。
【００３０】
また、実施の形態１から４において、各胴部梱包材の下部側に設ける本発明の崩れ防止部に相当する構成（下部切欠き部４０ａ、下部切欠き部５０ａ、下部切欠き部６０ａ、下部折り込み部７０ａ）を、１か所にのみ形成するようにしてもよい。例えば実施の形態１での場合で説明すると図８に示すように、下部１か所にのみ下部切欠き４０ａを構成する事により、上述した効果以外に以下の効果を奏する。すなわち、梱包作業に際し下部木枠２０に胴部梱包部材（イ）４０をセットしたときに、下部木枠２０上に設けられた胴部梱包部材（イ）４０との位置決め用凸部２０ａ、２０ｂとの勘合部のうち、下部切欠き４０ａによって勘合が甘くなるのは、胴部梱包部材（イ）４０の４つの角のうち１か所だけであるので、胴部梱包部材（イ）４０と下部木枠２０との位置決めが効かなくなるという問題を解消できる。この効果は実施の形態２から４について適用した場合も同様である。
【符号の説明】
【００３１】
１０：貯湯式給湯機、  ２０：下部木枠、  ３０：下部クッション、
４０：胴部梱包部材（イ）、  ４０ａ：下部切欠き部、  ４０ｂ：上部切欠き部、
５０：胴部梱包部材（ロ）、  ５０ａ：下部切欠き部、  ５０ｂ：上部切欠き部、
６０：胴部梱包部材（ハ）、  ６０ａ：下部切欠き部、  ６０ｂ：上部切欠き部、
７０：胴部梱包部材（ニ）、  ７０ａ：下部折り込み部、  ７０ｂ：上部折り込み部、
８０：上部クッション、  ９０：上部カバー、  １００：貯湯式給湯機（梱包状態）
【図１】
2016137906.tif 000003
【図２】
2016137906.tif 000004
【図３】
2016137906.tif 000005
【図４】
2016137906.tif 000006
【図５】
2016137906.tif 000007
【図６】
2016137906.tif 000008
【図７】
2016137906.tif 000009
【図８】
2016137906.tif 000010